(57)【特許請求の範囲】
【請求項１】
胴部の一端が天面部によって閉塞され、胴部の他端がシール面部によって封止されてなる個包装容器が着脱される滴下用ケースを有し、該個包装容器の内容液が該滴下用ケースの注出口から滴下されて注出される液体滴下具であって、
前記滴下用ケースは、周方向に環状をなすとともに、内方に向けて突起状をなして前記個包装容器を取付け保持する取付保持部と、前記注出口が設けられる導液管と、該導液管の該注出口を開閉する蓋部とを備え、
前記個包装容器が前記滴下用ケースの前記取付保持部に取付け保持された状態で、該個包装容器の前記シール面部が前記滴下用ケースの前記導液管の先端部に刺通されて開封可能にされ、前記個包装容器が押圧変形されて加圧される前記内容液が前記蓋部の開かれた前記注出口から滴下されて注出可能にされる液体滴下具。
【請求項２】
前記個包装容器の天面部が、ドーム型をなし、該個包装容器を押圧変形するための押圧部とされてなる請求項１に記載の液体滴下具。
【請求項３】
前記個包装容器の胴部と天面部が一体をなす請求項１又は２に記載の液体滴下具。
【請求項４】
前記個包装容器は胴部及び天面部を一体成形品にて構成してなる請求項３に記載の液体滴下具。
【発明の詳細な説明】
【技術分野】
【０００１】
本発明は液体滴下具に関する。
【背景技術】
【０００２】
個包装容器の内容液を注出して用いるディスペンサパッケージとして、特許文献１に記載のものがある。このディスペンサパッケージは、平坦で比較的堅固なシートと、シートの片面に固定されて液体を収容するパウチと、シートの形成される折り目線と、シートの折り目線に直角をなすように延在されるチャンネル状突起部材とを有する。このディスペンサパッケージが折り目線を挟んでＶ状に折り曲げされて圧搾されるとき、チャンネル状突起部材が折り目線に沿って破れ、それによって形成される開口から内容液が注出可能になる。
【先行技術文献】
【特許文献】
【０００３】
【特許文献１】特開平8-310558号公報
【発明の概要】
【発明が解決しようとする課題】
【０００４】
ディスペンサパッケージの開封作業は、ディスペンサパッケージをＶ状に折り曲げて圧搾し、チャンネル状突起部材を折り目線に沿って破ることにより開口を形成するものであり、煩雑である。
【０００５】
ディスペンサパッケージからの内容液の注出作業は、ディスペンサパッケージに開口が形成されると同時に、該ディスペンサパッケージに加えられている圧搾力が内容液を搾り出す如くに注出するものになり、内容液を少量ずつ滴下させて注出させることができない。
【０００６】
ディスペンサパッケージは一度開口が形成されて開封されてしまうと、再封できない。従って、ディスペンサパッケージを携帯してその内容液の漏れを防ぎながら、内容液を複数回に分けて用いることができない。
【０００７】
本発明の課題は、液体滴下具において、携帯される個包装容器の内容液を複数回に分けて滴下注出して用いるに際し、個包装容器を簡易に開封して内容液を簡易に滴下注出可能にするとともに、個包装容器を確実に再封可能にすることにある。
【課題を解決するための手段】
【０００８】
請求項１に係る発明は、胴部の一端が天面部によって閉塞され、胴部の他端がシール面部によって封止されてなる個包装容器が着脱される滴下用ケースを有し、該個包装容器の内容液が該滴下用ケースの注出口から滴下されて注出される液体滴下具であって、前記滴下用ケースは、周方向に環状をなすとともに、内方に向けて突起状をなして前記個包装容器を取付け保持する取付保持部と、前記注出口が設けられる導液管と、該導液管の該注出口を開閉する蓋部とを備え、前記個包装容器が前記滴下用ケースの前記取付保持部に取付け保持された状態で、該個包装容器の前記シール面部が前記滴下用ケースの前記導液管の先端部に刺通されて開封可能にされ、前記個包装容器が押圧変形されて加圧される前記内容液が前記蓋部の開かれた前記注出口から滴下されて注出可能にされるようにしたものである。
【図面の簡単な説明】
【０００９】
【図１】図１は滴下用ケースを示す断面図である。
【図２】図２は図１の平面図である。
【図３】図３は個包装容器を示す斜視図である。
【図４】図４は液体滴下具の滴下用ケースに個包装容器を取付けた状態を示す断面図である。
【図５】図５は液体滴下具を用いた内容液の滴下注出状態を示す断面図である。
【図６】図６は液体滴下具の変形例を示す断面図である。
【発明を実施するための形態】
【００１０】
図４、図５は本発明の一実施例としての液体滴下具１００を示すものであり、個包装容器１０が着脱される滴下用ケース２０を有する。
【００１１】
個包装容器１０は、調味料、化粧料等の内容液を収容し、例えば１日分の使用料である１０mL程度の内容液を個包装したポーションカップを構成する。個包装容器１０は、内容液の全量を一度に吐出して使い切るのではなく、１日の中で複数回に分けて使うことができるように内容液を滴下注出可能にするものであって、カバン等に入れて持ち歩いても内容液の漏れを生じない携帯性を有する。
【００１２】
個包装容器１０は、図３に示す如く、胴部１１の一端が天面部１２によって閉塞され、胴部１１の他端がシール面部１３によって封止される。
【００１３】
個包装容器１０は、胴部１１と天面部１２が一体をなすものとされることができ、それらの胴部１１及び天面部１２を例えばポリプロピレンシート、又は高密度ポリエチレンシートの一体成形品にて構成できる。これにより、個包装容器１０の部品点数を削減し、個包装容器１０を簡易に製作できる。
【００１４】
個包装容器１０は、シール面部１３の外周縁部が胴部１１の他端フランジ部１１Ｆに熱融着等により接着され得るように、シール面部１３の構成材料が選定される。また、個包装容器１０は、滴下用ケース２０の後述する導液管２４の先端部２４Ｋがシール面部１３に刺通したときに、シール面部１３が裂けることなく導液管２４に密着して液漏れし難いように、シール面部１３の構成材料が選択される。シール面部１３のフランジ部１１Ｆとの接着性、シール面部１３の導液管２４による刺通性を良好にする材料としては、例えば未延伸ナイロンフィルムとポリオレフィン系フィルムを積層したラミネートフィルムを採用できる。
【００１５】
個包装容器１０は、天面部１２を外方に向けて張り出るドーム型としている。個包装容器１０が後述するように滴下用ケース２０に取付け保持された状態で内容液を加圧して滴下注出するときに、このドーム型天面部１２が個包装容器１０を押圧変形するために押圧操作される押圧部１４として用いられる。天面部１２は滴下用ケース２０の後述する筒状体２１の一端開口より外方へ突出している方が押圧操作し易い。
【００１６】
尚、個包装容器１０において、天面部１２は、ドーム型とすることが押圧操作し易い点で好適であるが、フラット面、台形形状等の押すことができる形状であれば制約はなく、天面部１２の中央部に押圧操作用のボタン状凸部を備えるものでも良い。
【００１７】
滴下用ケース２０は、図１、図２に示す如く、筒状体２１を有するとともに、筒状体２１の一端を開口し、筒状体２１の他端に底面部２２を有する。滴下用ケース２２において、筒状体２１の下端寄り内周部には、その周方向に連続する環状をなすとともに（周方向に不連続であっても可）、内方に向けて突起状をなす取付保持部２３を備える。滴下用ケース２０は、筒状体２１の内周径を個包装容器１０のフランジ部１１Ｆのフランジ径より小径とし、取付保持部２３の内周径を個包装容器１０のフランジ部１１Ｆのフランジ径より大径とする。これにより、個包装容器１０が、図４に示す如く、滴下用ケース２０における筒状体２１の一端開口から内部に装填されてセットされるとき、個包装容器１０のフランジ部１１Ｆが取付保持部２３の内周に押込まれて該内周を通過するように変形し、その後その変形を復元して取付用保持部２３に抜け止めされる状態で、該フランジ部１１Ｆに接着されているシール面部１３が底面部２２に近接又は当接する位置に位置付けられ、個包装用容器１０を滴下用ケース２０の取付保持部２３に取付け保持するものになる。
【００１８】
滴下用ケース２０は、底面部２２の一部に、注出口２５が設けられる導液管２４を備える。注出口２５は、個包装容器１０の押圧部１４が押圧変形されることによって個包装容器１０の内容液が加圧されたとき、この加圧された液体を滴下状態で注出可能にする口径を備えるものとされる。換言すれば、導液管２４の注出口２５から滴下される液体の量は、注出口２５の口径によって規定される。
【００１９】
導液管２４は、底面部２２から筒状体２１の側に突出する小径管部２４Ａと、底面部２２から筒状体２１の反対側に突出する大径管部２４Ｂとを相連通させてなり、小径管部２４Ａの先端を斜めカットして尖らせた尖り状先端部２４Ｋとしている。これにより、個包装容器１０が滴下用ケース２０の取付保持部２３に取付け保持された状態で、個包装容器１０のシール面部１３が滴下用ケース２０における導液管２４の先端部２４Ｋに刺通されて開封される。
【００２０】
尚、滴下用ケース２０は、底面部２２における小径管部２４Ａの根元まわりに形成した環状ザグリ部２２Ａに、小径管部２４Ａの外周に密着し、かつ底面部２２よりも筒状体２１の側に飛び出るＯリング２６を設けてある。滴下用ケース２０の取付保持部２３に抜け止めされた個包装容器１０のフランジ部１１Ｆに接着されているシール面部１３は、底面部２２に近接又は当接する位置に位置付けられた状態で、導液管２４の先端部２４Ｋに刺通された開封部の周囲をＯリング２６に圧着する。先端部２４Ｋに刺通されて裂けたシール面部１３からの内容液の漏れが、前述したシール面部１３を構成する材料の選定に加えて、Ｏリング２６の存在によっても防止されるものになる。
【００２１】
滴下用ケース２０は、底面部２２における大径管部２４Ｂの周囲に、注出口２５を開閉するキャップ３０を備える。キャップ３０は、キャップ本体３１にヒンジ３２を介して蓋部３３を開閉回転自在に結合する。キャップ本体３１は大径管部２４Ｂに嵌合される。ヒンジ３２は、キャップ本体３１の外周部に、一対のヒンジつなぎ部３２Ａ、３２Ａと、両ヒンジつなぎ部３２Ａ、３２Ａに挟まれて弾性変形できるヒンジ弾性片３２Ｂとを有する。蓋部３３が一定の臨界開度（死点）にあるときに、ヒンジ弾性片３２Ｂは弾性的最大伸び状態となり、この臨界開度から開き側ではヒンジ弾性片３２Ｂが蓋部３３に開き方向弾発力を付与し、蓋部３３を開き位置に設定して注出口２５を開き、この臨界開度から閉じ側では、ヒンジ弾性片３２Ｂが蓋部３３に閉じ方向弾発力を付与し、蓋部３３を閉じ位置に設定して注出口２５を閉じる。キャップ本体３１、ヒンジ３２及び蓋部３３は例えばポリプロピレン等により一体に成形される。
【００２２】
従って、液体滴下具１００は、図４に示す如く、個包装容器１０が滴下用ケース２０の取付保持部２３に取付け保持されたセット状態で、個包装容器１０のシール面部１３が滴下用ケース２０における導液管２４の先端部２４Ｋに刺通されて開封される。このセット状態で、図５に示す如く、使用者の指先により個包装容器１０の押圧部１４が押圧されると、これによって加圧される個包装容器１０の内容液がキャップ３０の蓋部３３により開かれた導液管２４の注出口２５から滴下されて注出される。液体滴下具１００は例えば１日複数回の使用の度に、滴下用ケース２０にセットした個包装容器１０の内容液を上述の如くに滴下注出することを繰り返す。滴下用ケース２０にセットした個包装容器１０の内容液を使い切ったとき、当該個包装容器１０を滴下用ケース２０から取外し除去し、新たな個包装容器１０を滴下用ケース２０にセットして翌日の使用に備える。
【００２３】
本実施例によれば以下の作用効果を奏する。
(a)個包装容器１０は、滴下用ケース２０の取付保持部２３に取付け保持された状態で、シール面部１３が滴下用ケース２０の導液管２４の先端部２４Ｋに刺通されて開封される。個包装容器１０が滴下用ケース２０に取付け保持されると同時に、該個包装容器１０を簡易に開封できる。
【００２４】
(b)滴下用ケース２０において導液管２４の注出口２５に備えた蓋部３３を開き、個包装容器１０を押圧変形することで、個包装容器１０の内容液が加圧されて該注出口２５から滴下されて注出される。個包装容器１０を押圧する度に内容液を１滴ずつ滴下でき、内容液を簡易に少量ずつ滴下注出できる。
【００２５】
(c)滴下用ケース２０における導液管２４の注出口２５に備えた蓋部３３を一度開いた後でも、この蓋部３３を再び閉じて個包装容器１０を確実に再封できる。個包装容器１０を携帯してその内容液の漏れを防ぎながら、内容液を複数回に分けて用いることができる。また、蓋部３３の存在により、内容液の酸化等による変質を防ぐこともできる。
【００２６】
図６は前記液体滴下具１００の変形例に係る液体滴下具１００Ａを示したものであり、個包装容器１０Ａが着脱される滴下用ケース２０Ａを有する。
【００２７】
液体滴下具１００Ａが液体滴下具１００と実質的に異なる点は、個包装容器１０に代わる個包装容器１０Ａが天面部１２に設けた外気導入口１２Ａに外気導入用逆止弁１０Ｖを備えるとともに、滴下用ケース２０に代わる滴下用ケース２０Ａが注出口２５の出口部に開閉弁２０Ｖを備えたことにある。
【００２８】
個包装容器１０Ａの押圧部１４が押圧変形され、個包装容器１０Ａの内圧が加圧されると、外気導入用逆止弁１０Ｖは個包装容器１０Ａの内圧を受けて外気導入口１２Ａを閉じる原状態に維持されるとともに、開閉弁２０Ｖは個包装容器１０Ａの内圧を受け、注出口２５を閉じていた原状態から開弁し、個包装容器１０Ａの内容液を注出口２５から滴下注出可能にする。
【００２９】
個包装容器１０Ａの押圧部１４に加えていた押圧が解除され、個包装容器１０Ａの内圧が減圧されると、開閉弁２０Ｖは自己復元力によって注出口２５を閉じる原状態に復元し、外気導入用逆止弁１０Ｖは個包装容器１０Ａの内外圧力差によって原状態から開いて外気を外気導入口１２Ａから個包装容器１０Ａの内部に導入し、押圧部１４の変形を復元する。個包装容器１０Ａの内外圧力差がなくなると、外気導入用逆止弁１０Ｖは自己復元力によって外気導入口１２Ａを閉じる原状態に復元する。
【産業上の利用可能性】
【００３０】
本発明によれば、液体滴下具において、携帯される個包装容器の内容液を複数回に分けて滴下注出して用いるに際し、個包装容器を簡易に開封して内容液を簡易に滴下注出可能にするとともに、個包装容器を確実に再封可能にする。
【符号の説明】
【００３１】
１０、１０Ａ  個包装容器
１１  胴部
１２  天面部
１３  シール面部
１４  押圧部
２０、２０Ａ  滴下用ケース
２３  取付保持部
２４  導液管
２５  注出口
３３  蓋部
１００、１００Ａ  液体滴下具
【図１】
0006691425.tif 000002
【図２】
0006691425.tif 000003
【図３】
0006691425.tif 000004
【図４】
0006691425.tif 000005
【図５】
0006691425.tif 000006
【図６】
0006691425.tif 000007